(57)【要約】【課題】製造コストの低減と軽量化と介助作業の効率の向上を図る。【解決手段】担架載置部４に担架３が着脱自在に載置され、担架載置部４上の担架の長手方向に沿って担架の下方に水受盤１２が配置されている。水受盤１２の周縁に一体に起立部１３ａ、１４ｂが設けられ、さらに起立部１３ａ、１４ｂに取っ手９が設けられている。【選択図】図１
2014128325.tif 000002
【特許請求の範囲】
【請求項１】
入浴者を乗せる担架が着脱自在に載置される担架載置部と、
前記担架載置部上の前記担架の長手方向に沿って当該担架の下方に配置されて当該担架から滴下する湯水を受け止める水受盤と、
を備え、
前記水受盤の周縁に当該水受盤と一体に起立部を設け、当該起立部に取っ手が設けられている、
ことを特徴とする入浴用機器。
【請求項２】
前記水受盤の周縁に、当該水受盤と一体にシャワーヘッドの係止部が設けられている、
請求項１に記載の入浴用機器。
【請求項３】
当該入浴用機器は、浴槽に横付け配置されるものであり、
前記担架載置部は、前記浴槽との間で前記担架を前記担架の幅方向に沿って反復水平移動可能に保持するものであり、
前記水受盤の前記長手方向に沿った中央部には、前記幅方向の端部が開放された空間部が設けられている、
請求項１または２に記載の入浴用機器。
【発明の詳細な説明】
【技術分野】
【０００１】
本発明は、身体障害者や養護老人等の入浴に供される入浴用機器に関するものである。
【背景技術】
【０００２】
従来から、寝たきりの高齢者や身体不自由者などの被介助者（以下、入浴者という）を載せた担架を浴槽内の支持台上に移動させた後、浴槽を昇降機構により上昇させて被介助者を湯に浸漬し、入浴させる介護用の入浴装置が知られている（例えば、特許文献１参照）。
【０００３】
この種の入浴装置では、次のようにして入浴が行われる。第１の構成では、入浴者を載せた担架は、搬送車上に載置固定されて浴室まで搬送される。浴室まで搬送された担架付きの搬送車は浴槽に横付けされ、この状態で担架上の入浴者の身体が介助者によって洗身される。洗身が終了すると、担架が搬送車から切り離されて浴槽にスライド移送され、この状態で入浴者の入浴が行われる。
【０００４】
第２の構成では、入浴者を載せた担架は、搬送車上に載置固定されたうえで浴室まで搬送される。浴室まで搬送された担架付きの搬送車は、浴槽に並設されている洗い台に横付けされ、この状態で担架が搬送車から切り離されて洗い台にスライド移送される。スライド移送が完了すると、洗い台固定状態の担架に載っている入浴者が介助者によって洗身される。入浴者の洗身が終了すると、担架が洗い台から切り離されて浴槽にスライド移送されて入浴者の入浴が行われる。入浴時、洗い台は入浴介護の邪魔となるので、介助者によって浴槽から離間移動される。
【０００５】
以上の洗浄入浴を行う入浴装置に用いられる搬送車や洗い台（以下、両機器を入浴用機器と称する）には、図６、図７に示すように、搬送／移動時に介助者が掴む取っ手１００が取り付けられている。取っ手１００は、スチールパイプ等からなっており、搬送車や洗い台の枠体１０１に起立した状態で固定装着されている。
【先行技術文献】
【特許文献】
【０００６】
【特許文献１】特開２０００−１０２５８６号公報
【発明の概要】
【発明が解決しようとする課題】
【０００７】
従来の入浴用機器では、取っ手を別体にして入浴用機器の枠体に取り付けているため、その分、入浴用機器の製造コストが上昇するうえに、入浴用機器は重量化してその移動操作性を損ねていた。さらには、入浴者の洗身時、介助者は、入浴用機器の周囲を移動しながら作業を行うが、その際、起立状態で装着されている取っ手が移動や作業の邪魔になることがある。また、洗身時、介助者は、浴槽から引き出された可撓管の先端に取り付けられたシャワーヘッドを把持した状態で、入浴用機器の周囲を巡回しながら作業を行うが、巡回移動時、可撓パイプが取っ手に引っ掛かることがあり、介助者は、そのような状態になる度に洗身処理や巡回移動動作を中断して、可撓管を取っ手から離脱させる作業を行わねばならず、このことが入浴介護作業の作業能率を低下させる原因となっていた。
【０００８】
本発明は、上述した問題点に鑑みてなされたものであり、製造コストの低減と軽量化と、介助作業の効率の向上を図ることができる入浴用機器を提供することを目的としている。
【課題を解決するための手段】
【０００９】
上記課題を解決するため、本発明の入浴用機器は、
入浴者を乗せる担架が着脱自在に載置される担架載置部と、
前記担架載置部上の前記担架の長手方向に沿って当該担架の下方に配置されて当該担架から滴下する湯水を受け止める水受盤と、
を備え、
前記水受盤の周縁に当該水受盤と一体に起立部を設け、当該起立部に取っ手が設けられている。
【００１０】
本発明には、
前記水受盤の周縁に、当該水受盤と一体にシャワーヘッドの係止部が設けられている、
という態様がある。
【００１１】
本発明には、
当該入浴用機器は、浴槽に横付け配置されるものであり、
前記担架載置部は、前記浴槽との間で前記担架を前記担架の幅方向に沿って反復水平移動可能に保持するものであり、
前記水受盤の前記長手方向に沿った中央部には、前記幅方向の端部が開放された空間部が設けられている、
という態様がある。
【発明の効果】
【００１２】
本発明の請求項１によれば、水受盤と一体に取っ手を設けているので、入浴用機器の移動や入浴用機器と浴槽との接合等の各種の操作を行いやすい位置に必要な数の取っ手を簡素な構造かつ樹脂成形等の簡易な製造方法で設けることができるために、浴槽用機器のコストダウンと軽量化を図ることができる。
【００１３】
請求項２によれば、当該水受盤と一体にシャワーヘッドの係止部を設けているので、任意の数のシャワーヘッドの係止部を、簡素な構成かつ樹脂成形等の簡易な製造方法で設けることができ、一連の入浴介助作業において、シャワーヘッド係止部が１箇所しかない場合にシャワーを必要とする度にその位置まで反復移動するといった介助者の移動負担を軽減することができる。
【００１４】
請求項３によれば、次の効果が得られる。すなわち、入浴介助作業時において、介助者が入浴用機器の周囲に沿って何度も反復移動することがあるが、その際、取っ手が介助者の作業や移動の邪魔になりやすく、さらには、シャワーヘッドに連結されている可撓管が床面に垂下延在していると可撓管に足が引っかかって転倒するといった不具合があった。しかしながら、請求項３の発明によれば、水受盤の前記長手方向に沿った中央部に幅方向の端部が開放された空間部が設けられているので、前記反復移動回数自体が少なくて済み、移動時に取っ手が邪魔になったり可撓管に引っかかるといった不具合を軽減することができる。また、入浴介助に係る動線を短くするために、前記空間部を設けることなく水受盤の長手方向を極めて短くする構成の入浴機器も散見されるが、この場合において水受盤に取っ手を設けても入浴機器に載置された担架が邪魔になって取っ手に手が届かないので、入浴機器の移動やドッキング等の操作を行う際に取っ手を把持できないという不都合が生じる。しかしながら、請求項３の発明の構成にすれば、担架を載置した状態でも手の届く範囲に水受盤と一体的に取っ手を設けることができ、前記入浴介助に係る反復移動回数も軽減できる。以上のことから、本発明は、空間部を有する入浴用機器において実施すればより有効となる。
【図面の簡単な説明】
【００１５】
【図１】図１は、本発明の実施形態である搬送車の担架載置状態での正面図である。
【図２】図２は、実施形態の搬送車の担架未載置状態での側面図である。
【図３】図３は、実施形態の搬送車の担架未載置状態での平面図である。
【図４】図４は、実施形態の搬送車の要部拡大斜視図である。
【図５】図５は、本発明の変形例で搬送車の担架未載置状態での平面図である。
【図６】図６は、従来例の搬送車の担架載置状態での正面図である。
【図７】図７は、従来例の搬送車の担架未載置状態での側面図である。
【発明を実施するための形態】
【００１６】
図１〜４に示す本発明の実施形態の入浴装置は、昇降する浴槽１と、搬送車２と、浴槽１と搬送車２間を移乗する担架３とを備える。浴槽１には、シャワーヘッド１５が装備されている。シャワーヘッド１５は浴槽１の給湯機能で生成した湯水を入浴者の洗身のために浴槽１から引き出して散水するものである。シャワーヘッド１５は可撓管１６を介して浴槽１に連結されており、浴槽１の側面に設けられたシャワーヘッド保持部１ａを介して浴槽１に着脱自在に保持されている。
【００１７】
搬送車２は本発明の入浴用機器の一例である。担架３は、介助者の介助を受けて浴槽１で入浴する入浴者（被介助者）を乗せるものである。搬送車２は、介助者の押し引き操作によって移送される車両であって、入浴時、介助者の移送操作によって浴槽１に横付け配置される。搬送車２は、担架３が着脱自在に載置される担架載置部４を有する。担架載置部４は、搬送車２が浴槽１に横付けされた状態において、浴槽１との間で担架３を担架幅方向に沿って反復水平移動可能に保持するものであって、具体的には、担架幅方向に沿って水平に並行配設された一対のスライドレールからなる。担架載置部４は、搬送車２の上面に装着されている。
【００１８】
搬送車２の略中央部には、左右（搬送車２の幅方向）が開放された空間部５が設けられている。空間部５は介助者が搬送車２に出入りできる空間である。搬送車２は、空間部５と、空間部５の前方に位置する前部６と、空間部５の後方に位置する後部７と、枠体８と、搬送車２を移送させる時に掴む取っ手９と、担架３上の入浴者の洗身を行う際に使用するシャワーヘッド１５を把持するシャワーヘッド係止部１７と、洗身搬送車２の下部に設けられ搬送車２を床面で走行させるキャスタ１０とを備える。キャスタ１０はロック付（図示省略）である。枠体８には、介助者が上る踏み台１１が設けられ、踏み台１１は空間部５の下部位置に形成される。空間部５を設けるため、担架載置部４は、前部６と後部７とにそれぞれ設けられている。
【００１９】
搬送車２には、担架３や担架３に乗っている入浴者（被介助者）から洗身時等において滴下する湯水を受け止める水受盤１２が設けられている。なお、図２、図３では、水受盤１２を明瞭に図示するために担架３は図示省略されている。図１に示すように、水受盤１２は、担架載置部４上の担架３の長手方向に沿って担架３の下方に配置されている。水受盤１２は、前部６と後部７とに設けられており、それぞれ前部水受盤１３、後部水受盤１４と称する。前部水受盤１３と後部水受盤とは、樹脂一体成型品から構成されている。なお、図示はしないが、空間部５にも装着自在な蛇腹状の水受盤を設けてもよい。
【００２０】
本実施形態の搬送車２は、取っ手９とシャワーヘッド係止部１７の構成に特徴を有している。取っ手９とシャワーヘッド係止部１７とは、搬送車２（担架３）の長手方向に沿った水受盤１２の端部となる前部水受盤１３の前端部１３ａと後部水受盤１４の後端部１４ａとに設けられている。取っ手９とシャワーヘッド係止部１７とは、前部水受盤１３や後部水受盤１４と一体に樹脂成型されている。取っ手９は、前端部１３ａと後端部１４ａとにそれぞれ一対ずつ並列配置されている。取っ手９は、具体的には次のようにして設けられている。すなわち、前端部１３ａや後端部１４ａの周縁には、前端部１３ａや後端部１４ａと一体に起立部１３ｂ、１４ｂが設けられている。起立部１３ｂ、１４ｂは、前端部１３ａや後端部１４ａから上方に起立した状態で形成されており、取っ手９は、起立部１３ｂ，１４ｂに設けられている。取っ手９は貫通孔９ａを有しており、貫通孔９ａの全周を閉じた枠形状をしている。また、シャワーヘッド１５を引き回す際に、可撓管１６が取っ手９に引っかからないように、取っ手９の外周形状は円弧状となっている。さらには、取っ手９の高さ寸法は、介助者による搬送車２の押し引き操作にとって必要十分な寸法であって必要以上に高くならないようにされており、これにより可撓管１６が取っ手９に引っかからないようになっている。尚、取っ手９は、図示の位置の他に、適宜必要な位置に複数設けることもできる。例えば、図示は省略するが、浴槽１に搬送車２を連結係止する際に必要があれば、水受盤１２の幅方向の両端部の所定の位置に取っ手９を設けるようにしてもよい。
【００２１】
シャワーヘッド係止部１７は、前端部１３ａ、後端部１４ａの角部に設けられている。シャワーヘッド係止部１７は、一対の把持端を有しており、これら一対の把持端によってシャワーヘッド１５を挟持して保持している。尚、シャワーヘッド係止部１７は図示の位置の他に、適宜必要な位置に複数設けることもできる。例えば、図示は省略するが、搬送車２を浴槽１の左右いずれの側でも連結可能に構成する入浴装置の場合は、前端部１３ａ、後端部１４ａの両角部に設けるようにしてもよい。更に、一連の入浴介助の中で必要があれば、水受盤１２の幅方向の両端部の所定の位置にシャワーヘッド係止部１７を設けるように構成してもよい。
【００２２】
浴槽１の側壁１８の中央上部に、浴槽１が有する種々の機能を個々に作動させる操作部１９が設けられている。操作部１９は、上昇スイッチ、下降スイッチ、気泡スイッチ等を備える。浴槽１の背面には操作部１９と同じスイッチ群を擁する背面操作部２０が設けられ、浴槽１の正面には操作部１９と同じスイッチ群を擁する正面操作部２１が設けられている。浴槽１内の中央の上部には、担架３を支持する架台２２が、浴槽１の底壁を水密に貫通する支柱（＝図示省略）に支持されて設けられる。
【００２３】
この入浴装置を用いて、入浴者の入浴介助を行う場合、介助者は、入浴態勢にある入浴者を搬送車２上の担架３に乗せた状態で搬送車２を移送して浴槽１に横着けし、さらに浴槽１の係止部（図示省略）に搬送車２を連結係止する。そして、キャスタ１０を適宜ロックする。この状態で、浴槽１に据え付けられたシャワーヘッド１５を操作して介助者が担架３上の入浴者の身体を洗身する。
【００２４】
洗身が終了すると介助者は、搬送車２の外側へ回り込んで、搬送車２の長手方向中央部に配置する。次に、介助者は担架３のキャッチ具（図示省略）を操作し搬送車２と担架３の係止を外して、担架３を浴槽１内の架台２２上に押し遣る。
【００２５】
この時、介助者は空間部５にある踏み台１１に上がり、前屈み姿勢になることなく楽な姿勢で担架３を架台２２上に押し遣ることができ。介助者は、担架３を架台２２上に完全に乗せた後、担架３を架台２２にロックする。その後、操作部１９の上昇スイッチを押し、浴槽１を上昇させ、浴槽１内の温湯に入浴者を浸ける。
【００２６】
次に介助者は、操作部１９の気泡スイッチを押し、気泡浴装置（図示省略）を作動させ、湯内に気泡を発生させ、入浴者に気泡浴を施す。また、介助者は入浴者が浴槽１の温湯に入浴している間、必要に応じて踏み台１１に上がって入浴者にマッサージを施す等の入浴介助を行うことができる。
【００２７】
退浴時、介助者は操作部１９の下降スイッチを押し、浴槽１を下降させる。浴槽１を下降させた後、担架３を搬送車２上に移乗させる。この移乗時には、介助者は踏み台１１に上がって浴槽１の担架３を搬送車２側へ引く。担架３が浴槽１から離れ搬送車２に移乗し始めれば介助者は適宜踏み台１１から床面に降りる。担架３の移乗が完了すると、搬送車２へ、担架３を搬送車２へロックし、搬送車２を走行し入浴者を所定の場所へ移動し、入浴を終了する。
【００２８】
以上の入浴処理が可能な本実施形態の入浴装置においては、水受盤１２の端部である前部水受盤１３の前端部１３ａと後部水受盤１４の後端部１４ａとに一体に取っ手９を設けているので、次の効果がある。すなわち、取っ手９を水受盤１２と一体に樹脂成型しているので、その分、部品点数が減ってコストダウンを図ることができる。
【００２９】
また、取っ手９は水受盤１２と一体に樹脂成型されているので、軽量化が図れており、その分、搬送車２の引き回しが容易になる。さらには、水受盤１２は担架３の下方に配置されて、担架３から滴下する湯水を受け止めるものであって、搬送車２や担架３の長手方向寸法と同等の長手方向寸法を有しており、前部水受盤１３の前端部１３ａや後部水受盤１４の後端部１４ａは、搬送車２上の担架３の直下にあって担架３より搬送車長手方向の若干外側に位置している。この構造を利用して、本実施形態の搬送車２では、この部分、すなわち前端部１３ａや後端部１４ａに取っ手９を設けており、これにより搬送車２の押し引き操作の操作性を維持した状態で取っ手９の突出寸法を極力小さく抑えている。更に、取っ手９は、水受盤１２よりも上方に起立させた起立部１３ｂ、１４ｂに設けられているので、搬送車２の押し引き操作の際に介助者が自然な姿勢で取っ手９を把持することができる。
【００３０】
また、介助者は、入浴者の洗身時等において搬送車２の周囲を頻繁に巡回しなければならず、その際に取っ手９が作業や移動の邪魔になる可能性があるが、取っ手９の大きさ（突出量）を必要最小限に抑えることができる本実施形態の搬送車２は、入浴作業の効率を向上させるうえでも有効となる。
【００３１】
また、シャワーヘッド１５に連結されている可撓管１６は、シャワーヘッド使用時（洗身時）における介助者の搬送車周囲巡回移動に伴って引き回されるが、その際に、可撓管１６が取っ手９に引っかかる可能性がある。そのため、取っ手９の大きさ（突出量）を必要最小限に抑えることができる本実施形態の搬送車２は、この分でも入浴作業の効率を向上させることができる。
【００３２】
以上説明した本実施形態における取っ手９の効果は、空間部５を有する搬送車２においてさらに有効となる。すなわち、入浴介助作業時において、介助者が搬送車２の周囲に沿って何度も反復移動することがあるが、その際、取っ手９が介助者の作業や移動の邪魔になりやすく、さらには、シャワーヘッド１５に連結されている可撓管１６が床面に垂下延在していると可撓管１６に足が引っかかって転倒するといった不具合がある。しかしながら、本実施形態では、水受盤１２の長手方向に沿った中央部に幅方向の端部が開放された空間部５が設けられているので、反復移動回数自体が少なくて済み、移動時に取っ手９が邪魔になったり可撓管１６に引っかかるといった不具合を軽減することができる。以上のことから、本実施形態は、空間部５を有する搬送車２においてさらに有効となる。
【００３３】
また入浴介助に係る動線を短くするために、空間部５を設けることなく水受盤１２の長手方向を極めて短くする構成の入浴機器（搬送車等）も散見されるが、この場合において水受盤１２に取っ手９を設けても入浴機器に載置された担架３が邪魔になって取っ手９に手が届かないので、入浴機器の移動やドッキング等の操作を行う際に取っ手９を把持できないという不都合が生じる。しかしながら、本実施形態では、担架３を載置した状態でも手の届く範囲に水受盤１２と一体的に取っ手９を設けることができ、入浴介助に係る反復移動回数も軽減できる。
【００３４】
上述した実施形態では、搬送車２を浴槽１に横付けする構成の入浴装置において、本発明を実施したが、この他、図５に示すように、浴槽１に併設した洗い台３０において本発明を実施することができる。洗い台３０には、搬送車２と同様の空間部３１が設けられており、また、洗い台３０は、移動可能であり、かつ浴槽１に対して連結／解除可能である。尚、洗い台３０は、キャスタ１０を有していない点を除いて、搬送車２と同様の構成を備えているので、洗い台３０において搬送車２と同様の構成には同一の符号を付している。
【００３５】
この変形例では、搬送車２は、洗い台３０に横付け配置される。洗い台３０には、上述した実施形態の搬送車２と同様の取っ手９とシャワーヘッド係止部１７とが設けられている。これにより、洗い台３０は、上述した実施形態の搬送車２と同様の効果を奏することができる。
【符号の説明】
【００３６】
１  浴槽
２  搬送車
３  担架
４  担架載置部
５  空間部
９  取っ手
１２  水受盤
１３  前部水受盤
１３ａ  前端部
１３ｂ  起立部
１４  後部水受盤
１４ａ  後端部
１４ｂ  起立部
１５  シャワーヘッド
１６  可撓管
１７  シャワーヘッド係止部
３０  洗い台
【図１】
2014128325.tif 000003
【図２】
2014128325.tif 000004
【図３】
2014128325.tif 000005
【図４】
2014128325.tif 000006
【図５】
2014128325.tif 000007
【図６】
2014128325.tif 000008
【図７】
2014128325.tif 000009